(57)【要約】コピープロテクトされた素材の送信又は受信に関連付けられる１つ以上の制御信号変更する方法及びシステム。最も一般的に使用される通信プロトコルは、メッセージの送信又は受信を規定する制御信号を有する。制御信号を変更することによって、プロトコルに依存する多くの通信装置は、メッセージの送信を阻止するか、又は、受信したメッセージの次なる処理又は中継を阻止する或いは妨げる。例えば、巡回冗長符号（ＣＲＣ）が変更される場合、受信するが変更されていないＣＲＣを使用する従来のネットワーク装置は、受信した素材を拒絶する可能性があり、従って、受信した素材が処理される又はネットワークを更に進んで送信されることが阻止される。選択された装置は、変更を認識し、変更を戻すよう構成され、それにより、素材が更に処理されることを可能にする。素材が中継される場合、変更が再び適用される。ローカルエリアネットワーク装置のみが変更を戻すよう構成され、一方で、ワイドエリアネットワークアクセスを与える装置は変更を戻すよう構成されないことが好適である。このようにして、変更された制御信号を有する保護されたコンテンツ素材は、ワイドエリアネットワークに分配されることが阻止される可能性がある。
2005518586.tif 000002
【特許請求の範囲】
【請求項１】
コンテンツ素材の分配を制限する方法であって、
従来の通信装置を介して、前記コンテンツ素材の通信に関連付けられる１つ以上の制御信号を変更する段階を有し、それにより、前記通信を阻止する方法。
【請求項２】
前記コンテンツ素材に関連付けられるコピープロテクト信号を検出する段階を更に有し、
前記１つ以上の制御信号の変更は、前記コピープロテクト信号の検出に依存する請求項１記載の方法。
【請求項３】
前記コンテンツ素材は、暗号化されていない請求項１記載の方法。
【請求項４】
前記１つ以上の制御信号は、パリティ信号、チェックサム信号、及び同期信号のうちの少なくとも１つを有する請求項１記載の方法。
【請求項５】
コンテンツ素材の分配を制限する方法であって、
前記コンテンツ素材と、前記コンテンツ素材に対応する１つ以上の第１の制御信号を有する通信を受信する段階と、
前記コンテンツ素材の次なる処理を容易にする第２の制御信号を生成するよう前記１つ以上の第１の制御信号を変更する段階と、
を有する方法。
【請求項６】
コンテンツ素材と関連付けられる制御信号の通信を受信するよう構成される受信装置と、
前記コンテンツ素材の次なる処理を容易にするよう１つ以上の前記制御信号を変更するよう構成される変更装置と、
を有する受信システム。
【請求項７】
コンテンツ素材と関連付けられる制御信号の通信を供給するよう構成される送信装置と、
前記コンテンツ素材の次なる処理を阻止するよう１つ以上の前記制御信号を変更するよう構成される変更装置と、
を有する送信システム。
【発明の詳細な説明】
【技術分野】
【０００１】
本発明は、コピープロテクトシステムの分野に関わり、特に、保護されたコンテンツ素材の広範囲に及ぶ分配を阻止することを目的とするシステムに係る。本発明は、ネットワーク環境における保護されたメッセージのルーティングを制限するよう用いることも可能である。
【背景技術】
【０００２】
デジタル記録された素材の比較的安価な複製及び分配手段の出現により、芸術的演奏といったコピープロテクトされた素材の保護は、その素材をコピーする権利の所有者にとって最も重要となってきている。対照的に、コピープロテクトされた素材の購入者は、自分自身の使用のために購入した素材を自由にコピーできることを期待する。
【０００３】
多くのコンテンツ素材の購入者にとって、コンテンツ素材を他の人に広く利用可能にすることは一般的となっており、それにより、その素材をコピーする権利の所有者からかなりの収入源を奪っている。このようなコピープロテクト素材の広範囲に及ぶ分配の慣行は、Ｎａｐｓｔａｒ、Ｋａｚａ、Ｇｎｕｔｅｌｌａ等のシステムによってかなり容易にされている。これらのシステムは、ユーザにそのコンテンツ素材の入手可能性を広く宣伝し、その入手可能な素材のコピーを無料で得ることを可能にする。
【０００４】
コピープロテクトされたコンテンツ素材の保護のために様々なシステム及び方法が提案されており、一般的に、暗号化を用いる。コンテンツ素材の一部又は全て、或いは、コンテンツ素材にアクセスするために必要な補助素材が暗号化される。その素材の認可された受取人に、暗号化素材を解読する手段が与えられ、一方、非認可の受取人は、時間又は素材にかなりの投資をしないでは暗号化素材を解読することはできない。非認可の解読の費用が、非認可の解読から得られる利益を超える限り、コピープロテクトされた素材は、一般的に保護され続ける。
【０００５】
しかし、上述したような保護を与える費用は、かなりものであり得る。認可ユーザの適時の解読は、しばしば、かなりの量の処理能力を必要とし、従って、コピープロテクトスキームに適合するよう設計される消費者電子装置の価格も上がる。同様に、素材を解読するために認可された受取人だけによって用いられる鍵の分配及び制御を管理するために用いる処理も、追加の設備オーバヘッド及び複雑さをもたらすと予想され、その費用は、消費者に委ねられることになる。同様に、各目的の受取人についてのメッセージを暗号化するための公開鍵のリストを管理するといった、ネットワーク環境における通信のためのメッセージの暗号化に関連付けられるオーバヘッドは、現実的でないとしても、各メッセージについて暗号化の「ルーティン」使用をしばしば不都合にする。
【０００６】
暗号化に基づいた従来のコピープロテクトスキームの複雑さは、更に、失敗の危険性も増加させる。特に大きな懸念は、認可された使用のための解読処理の失敗である。消費者は、購入したコンテンツ素材の消費者の認可された使用を誤って防止するプロテクトスキームは、寛容には受け止めず、このような誤動作の可能性は、プロテクトスキームの複雑さの度合いに高く依存することが予想できる。保護された素材をコピーする権利の所有者は、一般的に、保護された素材のコピーを販売する業界にあり、信頼性の低い認可アクセスを与えるシステムは、売上にかなり不利な影響を及ぼすことが一般的に認識されている。
【発明の開示】
【発明が解決しようとする課題】
【０００７】
本発明は、コピープロテクトされたコンテンツ素材が広範囲に分配されることから保護する方法及びシステムを提供することを目的とする。本発明は更に、最小費用でこの方法及びシステムを提供することを目的とする。本発明は更に、コピープロテクトされたコンテンツ素材が広範囲に分配されることから保護することの複雑さを最小限にすることを目的とする。
【課題を解決するための手段】
【０００８】
これらの目的及び他の目的は、コピープロテクトされた素材の送信又は受信に関連付けられる１つ以上の制御信号変更する方法及びシステムを提供することによって達成される。多くの一般的に使用される通信プロトコルは、メッセージの送信又は受信を規定する制御信号を有する。制御信号を変更することによって、プロトコルに依存する多くの通信装置は、メッセージの送信を阻止するか、又は、受信したメッセージの次なる処理又は中継を阻止する或いは妨げる。例えば、巡回冗長符号（ＣＲＣ）が変更される場合、受信するが変更されていないＣＲＣを使用する従来のネットワーク装置は、受信した素材を拒絶する可能性があり、従って、受信した素材が処理される又はネットワークを更に進んで送信されることが阻止される。選択された装置は、変更を認識し、変更を戻すよう構成され、それにより、素材が更に処理されることを可能にする。素材が中継される場合、変更が再び適用される。ローカルエリアネットワーク装置のみが変更を戻すよう構成され、一方で、ワイドエリアネットワークアクセスを与える装置は変更を戻すよう構成されないことが好適である。このようにして、変更された制御信号を有する保護されたコンテンツ素材は、ワイドエリアネットワークに分配されることが阻止される可能性がある。
【発明を実施するための最良の形態】
【０００９】
本発明は、添付図面を参照しながら、例示的に、詳細に説明する。
【００１０】
全図面において、同一の参照番号は、類似の又は対応する特徴又は機能を示す。
【００１１】
２００２年２月２１日に出願した「COPY-PROTECTION  BY  PRESERVING  COPY-CONTROL  SIGNALS」なる名称の同時係属中の米国特許出願番号６０／３５９０５０（Michael  Epstein、代理人整理番号ＵＳ０２００５４）は、暗号化されていない素材がコピープロテクトされていると識別するコピー制御信号を与えることによって、コピープロテクトされた素材を保護するシステム及び方法を開示する。この出願は、本願に参考として組み込む。対応型装置は、このコピープロテクト信号の有無に基づいて、適切なコピープロテクト防護対策を実行するよう構成される。対応型装置が、コピープロテクトされた材料のコピーを作成する場合、対応型装置は、コピープロテクト信号が、作成されたコピー内に含まれることを確実にするよう構成される。コピープロテクトされた素材の広範囲に及ぶ分配を阻止するために、対応型装置は、インターネットといったワイドエリアネットワークへのコピープロテクトされた素材の通信を阻止するよう構成される。対応型装置は、コピープロテクト信号を保持し、この信号を含む素材の分配を制御するよう構成されるので、保護されたコンテンツ材料の「善意の」広範囲分配が回避される。つまり、対応型装置の多くのユーザは、本発明によって与えられる広範囲分配保護を破るよう装置を故意に変更するとは考えられておらず、従って、暗号化及び解読システムに関連付けられる費用及び複雑さを必要とせずに、広範囲分配におけるかなりの減少が期待される。与えられる保護は、広範囲分配を阻止することに限定されるので、コピープロテクトスキームの強制的な使用に対する消費者の拒絶反応も最小限にされる。
【００１２】
本発明及び参照される同時係属中の出願は、多くのコピープロテクトされたコンテンツ素材の購入者は、その保護された素材を広く分配することを特定の目的としてその素材を購入するわけではないという観察に基づいている。更に、多くのコピープロテクトされたコンテンツ素材の購入者は、いずれにせよ、コピープロテクト権利に関して強い感情を有しているわけではない。一般的な購入者は、購入者の個人的な使用のために素材をコピーする無制限の権利を望むが、購入者のその素材を購入する決定は、購入した素材を広く分配する能力における制限によっては影響されないであろう。従って、ワイドエリアネットワークへのコンテンツ素材の伝送を阻止し、その一方で、対応型装置のローカルネットワーク内の非制限の流通を可能にするよう構成されるシステムは、消費者からはほとんど抵抗を受けないだろう。
【００１３】
同時係属中の出願は、保護された素材へのコピープロテクト信号の添付に依存し、また、コピープロテクト規則を実施する対応型装置に依存する。しかし、この出願は、このコピープロテクトストラテジを知らない従来の非対応型装置は、自由にワイドエリアネットワークに保護された素材を伝送する事実には対処していない。
【００１４】
本発明では、コピープロテクトは、保護された素材に関連付けられる１つ以上の制御信号の変更によって達成される。１つ以上の制御信号の変更は、多くの従来の通信又は処理装置による保護された素材の通信を妨害するよう設計されることが好適である。このようにすると、制御信号の変更が従来の通信装置による素材の通信を妨害するので、インターネットといったワイドエリア通信ネットワークによって保護された素材が広がる可能性は、実質的に減少される。
【００１５】
図１は、本発明によるコピープロテクト送信器１００を示す１つの例示的なブロック図を示す。参照と理解を容易にするために、送信器及び受信器という用語は、本願明細書及び図面では、一般的な意味で用いており、保護されたコンテンツ素材を出力として供給する装置と、保護されたコンテンツ素材を入力として受け取る装置を、それぞれ特定する。
【００１６】
送信器１００は、コピープロテクトされたコンテンツ素材に関連付けられる１つ以上の制御信号を変更するよう構成される制御信号変更器１３０を有する。参照する同時係属出願と整合性があるように、送信器１００は、コピープロテクト信号が、オリジナルのコンテンツ素材の中に、又は、オリジナルのコンテンツ素材に関連付けられる信号内に検出されるといつでも制御信号変更器１３０を使用可能にするよう構成される。
【００１７】
理解を容易にするために、送信器１００は、処理段階１１０と出力段階１２０を有するよう示される。これらの段階間に、制御信号は、変更器１３０によって変更される。処理段階１１０と出力段階１２０との間の特定の仕切り方は、変更される選択された制御信号に依存する。例えば、コンテンツ素材のＣＲＣ誤り検出符号が変更されるよう選択される場合、処理段階１１０は、オリジナルのＣＲＣを生成するのに必要な全ての構成要素を有し、出力段階１２０は、如何なる更なる処理なしでＣＲＣを通信する構成要素を有する。このようにして、出力段階１２０は、制御信号変更器１３０からの変更されたＣＲＣを通信することが可能にされる。同様に、選択された制御信号が、コンテンツ素材内の個々のデータアイテムに関連付けられるパリティビットである場合、出力段階１２０は、更なる処理なしでパリティビットを通信する構成要素を有し、その一方で、処理段階は、オリジナルパリティビットを決定する構成要素を有する。
【００１８】
データフロー矢印における斜線部分によって示すように、変更器１３０は、保護されたコンテンツ素材に関連付けられる選択された１つ以上の信号を変更し、オリジナルコンテンツ素材と変更された制御信号及び変更されない制御信号の組合せは、変更された通信セット１５０を形成する。このセットは、通信セット内の１つ以上の信号が変更器１３０によって変更されている以外は、従来の送信器が供給し得る情報と同じ情報に対応する。つまり、例えば、送信器１００がネットワークインタフェースカードである場合、セット１５０のコンテンツは、変更器１３０によって１つ以上の信号が変更されている以外は、ネットワークインタフェースカードの従来の出力に対応する。
【００１９】
図２は、本発明の対応型コピープロテクト受信器２００と従来の受信器２５０を有する受信システムを示す従来のブロック図を示す。図２では、通信路２０１は、変更された通信セット１５０の様々な受信器への意図的な又は無意図的な通信を示す。即ち、例えば、ローカルネットワーク上での伝送は、その伝送がそのネットワーク上での特定のノードに向けられる又はアドレス指定されていても、そのネットワーク上の任意のノードによってアクセス可能である。更に、この実施例では、データフロー矢印における斜線部分は、変更された通信セット１５０のコンテンツ素材に関連付けられる変更された制御信号があることを示す。
【００２０】
対応型受信器２００では、入力段階２１０は、受信した通信セット１５０はコピープロテクトされていることを認識し、変更された通信セット１５０内の制御信号の「変更を戻す」よう制御信号変更器２３０を使用可能にし、それにより、これらの信号を、処理段階２２０による次の処理のために、オリジナル且つ従来の状態に戻す。制御信号変更器２３０は、「変更を戻す」ことを達成するために、図１の制御信号変更器１３０の逆の機能を行う。
【００２１】
対応型送信器１００と同様に、入力段階２１０と処理段階２２０間の受信器２００における機能の分離は、変更された通信セット内の変更された特定信号に依存する。例えば、変更された通信セットが、変調形式で通信され、特定の制御符号を識別するために復調が必要とされる場合、入力段階２１０は、必要な復調器を有し、そして、処理段階２２０は、その制御符号に作用する構成要素を有する。
【００２２】
意図的に非対応型か、又は、本発明のコピープロテクトスキームを知らない従来の受信器２５０では、入力段階２６０は、コピープロテクト信号を検出せず、また、変更された通信セット１５０内の制御信号の変更の解除を始めない。本発明に応じて設計されるワイドエリアネットワークインタフェースカードといった意図的に非対応型の受信器２５０では、変更された制御信号を受信すると、受信セット１５０の明白な拒絶を達成し、それにより、保護されたコンテンツ素材は、処理段階２７０に伝達されない。このコピープロテクトスキームを実質的に知らない受信器２５０では、変更された通信セット１５０を処理すると、しばしば、以下に説明するように、処理段階２７０によって、セット１５０が拒絶される結果をもたらすことが期待される。
【００２３】
変更のために選択される制御信号は、例えば、これらの信号の変更が従来のシステム及び装置による次なる通信又は処理を阻止する可能性があるように、従来の通信又は処理システムによるコンテンツ素材の次なる通信又は処理を制御することが期待される信号である。
【００２４】
誤りのあるデータを受け取るよりもデータを拒絶することがしばしば好適であるという前提のもと、例えば、垂直冗長度検査（ＶＲＣ）に用いられるパリティビット、水平冗長度検査（ＬＲＣ）に用いられるパリティバイト、又は、巡回冗長度検査（ＣＲＣ）に用いられるチェックサムといった誤り検出信号が受信システムによってしばしば用いられ、有効であるとして入力信号を受け取るか又は無効であるとして入力信号を拒絶する。金融環境では、例えば、潜在的に誤りのあるトランザクションを送るよりもトランザクションを送ることを拒絶することのほうが通常好まれる。同様に、ビデオの通信でも、歪んだ画像フレームを表示するよりも、受信した新しいフレームを受け取らないことによって前の画像フレームで「フリーズ」することがしばしば好適である。従って、誤り検出信号の変更が、変更のための好適な制御信号の１つである。
【００２５】
誤り補正信号も、変更のために特に好適である。誤り補正信号の処理が、補正不可能な誤りを識別する誤り検出スキームを有する場合、誤り補正受信システムは、一般的に、補正不可能な誤りを検出すると、受信した素材を拒絶する。その一方で、受信システムが、補正するには誤りが多すぎるとして受信メッセージを認識しないと、受信システムは、変更された／誤りのある誤り補正符号を受信したコンテンツ素材に適用する。誤り補正符号に誤りがあるので、その符号をコンテンツ素材に適用することは、誤りのあるコンテンツ素材を生成し、この素材は、ワイドエリアネットワークに通信されても、かなり歪んでいる。つまり、誤り補正信号を変更することによって、受信素材は、非対応型受信システムによって拒絶されるか又は歪められる。
【００２６】
同期制御信号も、変更のために用いられ得、それにより、非対応型受信システムは、変更された通信セットの伝送とは同期を確立することができない。しかし、このようなスキームを用いると、対応型受信システムは、メッセージは、一般的に受信され、受信器がメッセージを受け取るか又は拒絶するか決定する間はバッファに格納される従来のスキームと比べて、メッセージが受信される間に、通常の同期信号か又は変更された同期信号のどちらかに同期するよう構成される必要がある。
【００２７】
コンテンツ素材の通信に関連付けられる他の制御型信号の変更の効果は、当業者には明らかであり、これらの効果に基づいて、本願に開示した好適な信号に追加して、又は、本願に開示した好適な信号の代わりに、選択された他の信号が変更され得る。
【００２８】
用いられる特定の変更は幾らか任意であり、受信器２００における変更器２３０のみが、送信器１００内の変更器１３０によって行われた変更の逆を達成するよう構成されることを必要とする。上述したパリティの例では、各パリティビット又はバイトの単純な反転が、一般的に、非対応型装置による変更された通信セット１５０の伝達を妨害するのに十分である。そのような場合、変更器１３０及び２３０は等価であり、選択された制御ビット又はバイトを単純に反転させる。より高度な変更は、例えば、反転された信号及び反転されていない信号のサブセットを識別する鍵を有する排他的ＯＲ関数を用いた制御信号のセットの特定のサブセットの反転が関連する。例えば、ＣＲＣシステムでは、各チェックサムバイトは、変更されたチェックサムバイトを形成するために鍵バイトで排他的ＯＲ処理される。ここでも、排他的ＯＲ関数は対称なので、変更器１３０及び２３０は等価であり、共に、チェックサムバイトと決められた鍵バイトとの間に排他的ＯＲ関数を適用する。
【００２９】
本発明は、コピープロテクトされたコンテンツ素材の例を用いて示したが、本発明の原理は、他の用途にも適用し得る。例えば、１つ以上のワイドエリアアクセス装置を有するローカルエリアネットワークでは、各ローカルネットワークインタフェースカードに対する対応型受信器と、各ワイドエリアネットワークインタフェースカードに対する意図的に非対応型の受信器とを用いることによって、ローカルセキュリティを提供することができる。このような実施例では、ネットワーク上の各装置は、ワイドエリア分配に好適であるとして特に識別される（即ち、保護されていない）伝送以外、各ネットワークノードからの伝送の制御符号を変更するよう構成される。
【００３０】
上述は、本発明の原理を説明するに過ぎない。従って、当業者は、本願には明示的に記載されないが、本発明の原理を具現化し、従って、本発明の精神及び範囲内である様々な構成を想到できるであろう。例えば、本発明の上記説明において、段階１１０及び２１０は、コピープロテクト信号の有無、又は、或いは、ワイドエリア許可信号に基づいて、それぞれ変更器１３０及び２３０による制御信号の変更を可能にするか否かを決定する。しかし、受信器２００は、制御信号が変更されたか否かを直接検出し、変更を戻すことを自動的に達成するよう構成され得る。例えば、受信器２００が、過剰な数のパリティ誤りを検出する場合、受信器は自動的に変更器２３０を起動させ、それにより、誤りのある素材とコピープロテクトされた素材とを区別し得る。変更器２３０の実施が、パリティ誤りの数をかなり減らす場合、受信器２００は、素材はコピープロテクトされていると認識し、そして、明示的なコピープロテクト信号が与えられたときに処理されるのと同じ方法で適宜処理される。これらの及び他のシステム構成及び最適化の特徴は、この開示を受けて当業者には明らかとなり、また、それらは、特許請求の範囲に含まれる。
【００３１】
本出願は、２００２年２月２１日に出願した米国仮特許出願番号６０／３５９，０５１（代理人整理番号ＵＳ０２００５５Ｐ）の優先権を主張する。
【図面の簡単な説明】
【００３２】
【図１】本発明のコピープロテクト送信システムを示す例示的なブロック図である。
【図２】本発明のコピープロテクト受信システムを示す例示的なブロック図である。
【図１】
2005518586.tif 000003
【図２】
2005518586.tif 000004
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
コンテンツ素材の分配を制限する方法であって、
送信器において、従来の通信装置を介して、前記コンテンツ素材の通信に関連付けられる１つ以上の制御信号を変更し、それにより、前記通信を阻止する段階と、
受信器において、前記コンテンツ素材に関連付けられるコピープロテクト信号を検出する段階と、前記１つ以上の制御信号に逆の変更を行う段階と、
を有する方法。
【請求項２】
前記コンテンツ素材に関連付けられるコピープロテクト信号を検出する段階を更に有し、
前記１つ以上の制御信号の変更は、前記コピープロテクト信号の検出に依存する請求項１記載の方法。
【請求項３】
前記コンテンツ素材は、暗号化されていない請求項１記載の方法。
【請求項４】
前記１つ以上の制御信号は、パリティ信号、チェックサム信号、及び同期信号のうちの少なくとも１つを有する請求項１記載の方法。
【請求項５】
コンテンツ素材と関連付けられる制御信号の通信を受信し、前記コンテンツ素材はコピープロテクトされていると認識するよう構成され、前記制御信号は、前記通信を制限するよう送信器によって変更されている、入力段階と、
前記コンテンツ素材の次なる処理を容易にするよう前記変更された制御信号の逆の変更を行うよう構成される変更装置と、
を有する受信システム。
【請求項６】
コンテンツ素材と関連付けられる制御信号の通信を供給するよう構成される送信装置と、
前記コンテンツ素材の次なる処理を制限するよう１つ以上の前記制御信号を変更するよう構成される変更装置と、
前記送信装置から前記通信を受信するよう構成される受信装置と、
前記コンテンツ素材がコピープロテクトされていることが入力段階によって検出されると、前記１つ以上の制御信号に逆の変更を行うよう構成される変更装置と、
を有する伝送システム。
【国際調査報告】
2005518586.tif 000005
2005518586.tif 000006
2005518586.tif 000007
2005518586.tif 000008